(57)【要約】本発明は、高密度ディスク記録媒体のＰＳＩ提供方法に係り、ＰＳＩの転送時、ＰＳＩの時間的な長さを確認して、送る先頭のデータストリームの転送時刻情報と確認された時間的な長さだけ違いが生じる時刻情報を生成して、その生成した時刻情報をＰＳＩに付加して転送パケットを構成して、データストリームの転送パケットより先に送る。デジタルテレビは、受信されるデータストリームの転送パケットＴＰ１を連続的に分離及び復号処理することができるようになっており、転送パケットの時刻情報不一致によるデータ損失を源泉的に防止できる。
2004515022.tif 000002
【特許請求の範囲】
【請求項１】
データを転送ストリームとして送る方法において、
送るデータを情報記録媒体から読み出すステップ、及び
最初のデータ転送が行われるときに、読み出されたデータストリームの転送に先だってプログラム仕様情報の転送パケットを送るステップと
を含む情報記録媒体のプログラム仕様情報提供方法。
【請求項２】
第１項において、前記送るステップは、
プログラム仕様情報の時間的な長さを確認するステップと、
先頭のデータストリームの転送時刻情報と前記確認された時間長さだけ違っている時刻情報を生成するステップ、及び
前記生成した時刻情報を前記プログラム仕様情報に付加して転送パケットを構成した後、前記データストリームの転送パケットより先に送るステップを含むことを特徴とする情報記録媒体のプログラム仕様情報提供方法。
【請求項３】
第２項において、前記時間的な長さ情報は、前記プログラム仕様情報を管理する管理情報に記録格納されていることを特徴とする情報記録媒体のプログラム仕様情報提供方法。
【請求項４】
第１項において、前記送るステップは、前記プログラム仕様情報を含む転送パケットを少なくとも２個以上生成して、前記データストリームの先頭の転送パケットより先に送ることを特徴とする情報記録媒体のプログラム仕様情報提供方法。
【請求項５】
第１項において、前記最初のデータ転送は、再生するデータストリームの記録位置が変更された後の最初の転送であることを特徴とするプログラム仕様情報提供方法。
【請求項６】
第１項において、前記最初のデータ転送は、再生するデータストリームを受信する装置がターンオンされた後の最初のデータ転送であることを特徴とするプログラム仕様情報提供方法。
【請求項７】
第１項において、前記最初のデータ転送は、新しいストリームのデータ単位体のストリームが再生される時その新しいストリームのデータ単位体の最初の転送であることを特徴とするプログラム仕様情報提供方法。
【請求項８】
第１項において、前記最初のデータ転送は、再生するデータストリームを受信する装置とのデータ送受信バスがリセットされた後、最初の転送であることを特徴とするプログラム仕様情報提供方法。
【請求項９】
第１項において、前記最初のデータ転送は、再生するデータストリームを受信する装置のチャネルが変更された後の最初の転送であることを特徴とするプログラム仕様情報提供方法。
【請求項１０】
情報記録媒体に記録されたデータストリームを再生する再生手段、及び
前記再生手段によって再生されるデータストリームの最初のデータ転送のときに、プログラム仕様情報の転送パケットを生成して、再生されるデータストリームの転送に先だって送る制御手段
を含んでいる情報記録媒体の再生装置。
【請求項１１】
第１０項において、前記制御手段は、前記生成したプログラム仕様情報の転送パケットに、前記再生されるデータストリームの転送パケットに記録されたプログラム時刻基準情報より前のプログラム時刻基準情報を記録して送ることを特徴とする情報記録媒体の再生装置。
【請求項１２】
第１０項において、前記制御手段は、前記プログラム仕様情報の転送パケットを少なくとも２個以上生成して送ることを特徴とする情報記録媒体の再生装置。
【請求項１３】
第１０項において、前記制御手段は、前記情報記録媒体に記録された情報に基づいてプログラム仕様情報の転送パケットを生成することを特徴とする情報記録媒体の再生装置。
【請求項１４】
第１０項において、前記制御手段は、前記情報記録媒体以外の情報格納手段に格納された情報に基づいてプログラム仕様情報の転送パケットを生成することを特徴とする情報記録媒体の再生装置。
【請求項１５】
受信されるデジタルデータストリームを記録する方法において、
デジタルデータストリームを受信するステップと、
前記受信されるデータストリームからプログラム仕様情報を分離してデータストリームを情報記録媒体に記録するステップと、
前記分離されたプログラム仕様情報を前記データストリームの記録領域とは区分される領域に記録するステップと
を含む情報記録媒体へのデータストリーム記録方法。
【請求項１６】
ビデオ及び／またはオーディオデータのデジタルストリームが記録されているデータ領域と、前記データ領域に記録されたデータの再生及び表現制御のために必要な管理データが記録される、前記データ領域とは区分された管理情報領域とで構成され、前記データ領域に記録されたデータストリームのプログラム仕様情報が前記管理情報領域に記録されている記録媒体。
【発明の詳細な説明】
【０００１】
１．技術分野
本発明は、高密度ＤＶＤ（ＨＤＶＤ：Ｈｉｇｈ Ｄｅｎｓｉｔｙ Ｄｉｇｉｔａｌ Ｖｅｒｓａｔｉｌｅ Ｄｉｓｃ）のような情報記録媒体から読み出して転送されるデータストリームを、そのデジタルストリームをデジタルテレビで選択してオーディオ／ビデオデータに分離及び復号処理するためのプログラム仕様情報（ＰＳＩ：Ｐｒｏｇｒａｍ Ｓｐｅｃｉｆｉｃ Ｉｎｆｏｒｍａｔｉｏｎ）とともに提供する方法及び装置に関する。ＰＳＩはプログラムシステム情報プロトコル（ＰＳＩＰ：Ｐｒｏｇｒａｍ Ｓｙｓｔｅｍ Ｉｎｆｏｒｍａｔｉｏｎ Ｐｒｏｔｏｃｏｌ）といわれることもある。
【０００２】
２．従来の技術
最近、デジタル放送信号を受信して高解像度の画像を出力するデジタルテレビ（Ｄ−ＴＶ）が開発されて普及しているが、デジタルテレビが受信するデジタル放送信号は、デジタル画像及び音声信号以外にも放送プログラムに対する多様な情報を提供するためのプログラム仕様情報（ＰＳＩ）を含めて送らなければならない。
【０００３】
ＰＳＩを一緒に送ることにより、デジタルテレビでは、送られてきたＰＳＩを利用して、受信されたデジタル放送信号から特定チャネルを選択して選択されたチャネルのデジタルストリームからオーディオ／ビデオデータに分離及び復号処理する。
【０００４】
一方、現在記録方式の標準化が開発中である高密度ＤＶＤ（ＨＤＶＤ）からデータを読み出して再生する高密度ＤＶＤ再生器（ＨＤＶＤ−Ｐｌａｙｅｒ）は、図１に示したように、ＩＥＥＥ　１３９４のようなデジタルインタフェースを通して、高解像度の画像を出力するデジタルテレビ２００と連結使用されることを前提に開発されているが、この場合でもデジタルテレビでは高密度ＤＶＤ再生器１００から送られてきたデータストリームを選択して、選択されたオーディオ／ビデオデータに分離及び復号処理するためのＰＳＩが必要になる。
【０００５】
したがって、高密度ＤＶＤ再生器１００では、高密度ＤＶＤから読み出されるデータストリーム特に、ＭＰＥＧ方式の転送ストリーム（ＴＳ：Ｔｒａｎｓｐｏｒｔ Ｓｔｒｅａｍ）をＩＥＥＥ　１３９４のようなデジタルインタフェースを介して接続されたデジタルテレビに送ると同時に、図２に示したように、プログラムアソシエーションテーブル（ＰＡＴ：Ｐｒｏｇｒａｍ Ａｓｓｏｃｉａｔｉｏｎ Ｔａｂｌｅ）、プログラムマップテーブル（ＰＭＴ：Ｐｒｏｇｒａｍ Ｍａｐ Ｔａｂｌｅ）及びコンディショナルアクセステーブル（ＣＡＴ：Ｃｏｎｄｉｔｉｏｎａｌ Ａｃｃｅｓｓ Ｔａｂｌｅ）等が含まれるＰＳＩを転送ストリーム（ＴＳ）に適した転送フォーマット、すなわち１８８バイトの転送パケットで送らなければならない。
【０００６】
これにより、ＩＥＥＥ　１３９４のようなデジタルインタフェースを介して接続されたデジタルテレビに転送される転送ストリーム（ＴＳ）に対するＰＳＩをデジタル放送信号と同じく適宜の周期で間欠的に送るために、図３に示したように、高密度ＤＶＤのデータ記録領域に分散させて記録し、データ記録領域に記録されたデータとプログラム仕様情報を順次読み出して送る案が検討されている。
【０００７】
しかし、前記のようにＰＳＩを高密度ＤＶＤのデータ記録領域に分散記録する場合、オーディオ及びビデオのデータの記録容量が大幅に減少する。その結果、高密度ディスクの記録効率を低下させることになる。さらに、ユーザーのキー入力によって高密度ＤＶＤの再生区間を任意に変更させたり、またはＩＥＥＥ　１３９４のようなデジタルインタフェースにリセットが発生した場合、デジタルテレビでは、たとえデータ受信が再開されてもデータ記録領域に分散記録されたプログラム仕様情報が転送受信される時まで、高密度ＤＶＤ再生器から転送される転送ストリームを選択してオーディオ／ビデオデータに分離及び復号処理できなくなり、自然に連続した画像を出力できなくなるという問題点が発生する。
【０００８】
また、前記のようにＰＳＩを転送ストリーム（ＴＳ）に適した転送パケットに変換して送る場合、ＰＳＩの転送パケットの時刻情報と、以後連続的に転送されるデータストリームの転送パケットのプログラム時刻基準情報（ＰＣＲ：Ｐｒｏｇｒａｍ Ｃｌｏｃｋ Ｒｅｆｅｒｅｎｃｅ）が時間的に連続されなければならない。すなわち、デジタルテレビでは、前記のように転送される転送パケットをプログラム時刻基準情報（ＰＣＲ）を基準にして復号及び表現時点を決定するために、転送パケットの時刻情報の連続性がそこなわれると、データ復号及び表現に障害が発生してデータが損失する。したがって、これを防止するためには、データストリームの転送パケットのプログラム時刻基準情報（ＰＣＲ）と、ＰＳＩの転送パケットの時刻情報とを、時間的に相互に連続性を持たせることが急を要している。
【０００９】
３．発明の開示
本発明は前記のような問題点を解決するために創作されたものであり、デジタルテレビ等で画像を安定させて出力することができるようにプログラム仕様情報（ＰＳＩ）を送る方法を提供することにある。
【００１０】
本発明の他の目的は、デジタルテレビ等で画像を安定させて出力することができるようにするために必要なプログラム仕様情報（ＰＳＩ）を記録する方法とそのように記録された記録媒体を提供することにある。
【００１１】
本発明のさらに他の目的は、デジタルテレビ等で画像を安定させて出力することができるようにプログラム仕様情報（ＰＳＩ）を送る情報記録／再生装置を提供することにある。
【００１２】
前記のような目的を達成するための本発明によるプログラム仕様情報（ＰＳＩ）の提供方法及びその情報記録／再生装置は、データを転送ストリームとして送る際に、データストリームを送り始めるときに、データストリームの転送に先だってプログラム仕様情報（ＰＳＩ）の転送パケット（ＰＴ）を送ることができるようにしたことが特徴である。
【００１３】
プログラム仕様情報（ＰＳＩ）を送る際には、そのＰＳＩの時間的な長さを確認して、データストリームの先頭の転送パケットの転送に先立って転送時刻情報と確認された時間的な長さだけ違っている時刻情報を生成し、その生成した時刻情報をＰＳＩに付加してＰＳＩの転送パケットを構成し、それをデータストリームの転送パケットより先に送ることを特徴とする。
【００１４】
前記のようになされる本発明による情報記録媒体のＰＳＩを提供する方法及びこれを実施する情報記録／再生装置は、デジタルテレビにおいて、受信されるＰＳＩの転送パケット（ＰＳＩ＿Ｐａｃｋｅｔ）を選択してプログラム時刻基準情報に同期させ、同期後に、ＰＳＩの転送パケットを復号して解析し、受信されるデータストリームの転送パケットを逃がさないで連続的に分離及び復号処理することができ、ＰＳＩ挿入による転送パケットの時刻情報連続性の乱れによって発生するデータ損失を防止できる。
【００１５】
５．発明実施するための最良の形態
以下、本発明による高密度ディスク記録媒体のＰＳＩ提供方法に対する望ましい実施形態を添付された図面によって詳細に説明する。
【００１６】
図４は本発明の実施形態による高密度ＤＶＤの構成を示したものであって、本高密度ＤＶＤは、オーディオ及びビデオデータがプログラム単位のデータストリームとして記録されるデータ記録領域である領域１と、プログラム単位のデータストリームを管理及び制御するためのナビゲーション情報のような管理情報が記録される情報記録領域である領域２とに分けて記録するようになっている。領域２には、図４に示したように、ＰＳＩすなわち、ＩＥＥＥ　１３９４のようなデジタルインタフェースを介して接続されたデジタルテレビにおいて、高密度ＤＶＤ再生器から転送されるデータストリームを選択してオーディオ／ビデオデータに分離及び復号処理するために用いられるＰＳＩが集中的に記録されている。そのため、オーディオ及びビデオのデータストリームを記録格納するための領域１の記録容量を大きく維持確保することができる。
【００１７】
ＰＳＩを集中して記録するためには、まず、受信されるデジタル放送信号に周期的に含まれて転送されてくるＰＳＩすなわち、図２を参照にして述べたプログラムアソシエーションテーブル（ＰＡＴ）、プログラムマップテーブル（ＰＭＴ）及びコンディショナルアクセステーブル（ＣＡＴ）などを含むＰＳＩを検出して分離し、出力する。それぞれの分離されたＰＳＩを記録媒体に記録するのに適したデジタルストリームに処理する。同時に、その分離されたＰＳＩが以前に分離出力されて既に記録されているＰＳＩと比較され、新しいＰＳＩであるか否かが判別される。その結果、新しいＰＳＩと判断された場合には、記録媒体に指定されたナビゲーション記録領域に順次に集中してその新しいＰＳＩを記録する。
【００１８】
このとき、記録されるＰＳＩは、単一プログラムのように時間的に連続したデータストリームである記録集合体（ＳＯＢ：ＨＤ ＯＢｊｅｃｔ）ごとに対応させて記録するために、記録集合体（ＳＯＢ）の開始時刻や終了時刻情報と連係されて記録される。
【００１９】
上記した、プログラムアソシエーションテーブル（ＰＡＴ）、プログラムマップテーブル（ＰＭＴ）及びコンディショナルアクセステーブル（ＣＡＴ）以外にも、記録媒体から読み出して転送されるデータストリームの特性に応じて多様な表現制御情報をＰＳＩに追加して記録したり、記録されている内容を修正することができる。
【００２０】
一方、前記のように高密度ＤＶＤの情報記録領域２に集中して記録されるＰＳＩを管理するＰＳＩ一般管理情報（ＰＳＩ＿ＧＩ：ＰＳＩ Ｇｅｎｅｒａｌ Ｉｎｆｏｒｍａｔｉｏｎ）には、図５に示したように、プログラム時刻基準（ＰＣＲ）オフセット（ＰＣＲ＿ｏｆｆｓｅｔ）情報が記録管理されている。このＰＣＲ＿ｏｆｆｓｅｔ情報は、ＰＳＩの転送パケットＰＳＩ＿Ｐａｃｋｅｔそれ自体の時間的な長さに対応する情報である。すなわち、ＰＳＩの転送パケット（ＰＳＩ＿Ｐａｃｋｅｔ）の最初のパケットの時刻情報（ＰＳＩ＿ＰＣＲ）は、その後に転送されるデータストリームの最初の転送パケット（ＴＰ１）のプログラム時刻基準情報（ＰＣＲ１）よりＰＣＲオフセットに該当する時間だけ前の時刻情報を持つことになる。
【００２１】
例えば、ＰＣＲオフセット（ＰＣＲ＿ｏｆｆｓｅｔ）が‘５００’と仮定すると、最初のデータ転送パケット（ＴＰ１）より前に転送されるＰＳＩの転送パケット（ＰＳＩ＿Ｐａｃｋｅｔ）のプログラム時刻基準情報（ＰＳＩ＿ＰＣＲ）は、最初の転送パケット（ＴＰ１）のプログラム時刻基準情報（ＰＣＲ）１より‘５００’クロック前の時間値、‘ＰＣＲ１−５００’を有することになる。また、ＰＳＩを二回連続的に送る場合には、最初に送るＰＳＩの最初の転送パケット（ＰＳＩ＿Ｐａｃｋｅｔ　１）のプログラム時刻基準情報（ＰＳＩ＿ＰＣＲ　１）は‘ＰＣＲ１−（５００×２）’になる。さらに、２番目に送るＰＳＩの最初の転送パケット（ＰＳＩ＿Ｐａｃｋｅｔ　２）のプログラム時刻基準情報（ＰＳＩ＿ＰＣＲ　２）は‘ＰＣＲ１−（５００×１）’になり、その後に転送されるデータストリームの最初の転送パケットＴＰ１のプログラム時刻基準情報ＰＣＲ１とはＰＣＲオフセットＰＣＲ＿ｏｆｆｓｅｔ＝‘５００’だけ前の時間値、‘ＰＣＲ１−（５００×２）’及び‘ＰＣＲ１−（５００×１）’をそれぞれ有することになる。
【００２２】
したがって、前記のようにＰＳＩに対応する転送パケット（ＰＳＩ＿Ｐａｃｋｅｔ）のプログラム時刻基準情報ＰＳＩ＿ＰＣＲは、その後に転送されるデータストリームに対応する最初の転送パケット（ＴＰ１）のプログラム時刻基準情報（ＰＣＲ１）よりＰＣＲオフセット時間だけ前へ時間的連続性を有するので、デジタルテレビでは、ＩＥＥＥ　１３９４のようなデジタルインタフェースを通して受信されるＰＳＩに対応する転送パケットＰＳＩ＿Ｐａｃｋｅｔの時間情報に自身のクロックを同期させる。同期後に、ＰＳＩの転送パケットを復号して解析するので、続いてくる転送パケットを逃がさずに続けて分離及び復号処理できる。
【００２３】
以下、本発明による高密度ＤＶＤからデータストリーム及びＰＳＩを読み出して提供する高密度ＤＶＤ再生器の構成及び作動に対して、添付された図面を参照しながら詳細に説明する。
【００２４】
まず、図６は本発明によるプログラム仕様情報（ＰＳＩ）の提供方法が適用される高密度ＤＶＤ再生器の構成を示したものである。本高密度ＤＶＤ再生器３００は、ＰＳＩが管理情報記録領域である領域２に集中的に記録された高密度ＤＶＤ３１の記録信号を読み出して電気信号として出力する光ピックアップ（Ｐ／Ｕ）３２、光ピックアップから出力される電気信号をアナログ信号処理して２進信号として出力するアナログ信号処理部３３、２進信号を信号処理してデジタルデータ及びＰＳＩを出力するデジタル信号処理部３４、デジタルデータとプログラム情報を多重化して転送ストリーム（ＴＳ）として出力するＴＳマルチプレクサ３５、ＰＳＩが多重化された転送ストリーム（ＴＳ）をＩＥＥＥ　１３９４のようなデジタルインタフェースを介して接続されたデジタルテレビ２００に送るインタフェース部３６、ＴＳマルチプレクサ３５及びインタフェース部３６の作動を制御するマイクロコンピュータ３７、及び前記制御作動に必要なデータを格納するメモリ３８を含んでいる。
【００２５】
前記のように構成された高密度ＤＶＤ再生器３００では、マイクロコンピュータ３７が、再生しようとする現在のデータストリームと関連するＰＳＩをデジタルテレビ２００に提供するように動作する。そのため、最初にキー入力がユーザーによって直接入力されられたとき、インタフェース部３６を介して接続されたデジタルテレビ２００から転送受信されるコマンドを受信したとき、又はＩＥＥＥ　１３９４のようなデジタルインタフェース上から発生するバスリセット（Ｂｕｓ　Ｒｅｓｅｔ）が発生したとき、高密度ＤＶＤ３１の情報記録領域（Ａｒｅａ２）からＰＳＩを読み出す。そしてデジタルテレビ２００はＩＥＥＥ　１３９４バスを通してデータストリームを受信する前に受け取ったＰＳＩを解釈して、その解釈したＰＳＩに基づいてデータストリームを選択し、復号する。前記のようにＰＳＩを提供する方法に対してさらに説明する。
【００２６】
図７は、高密度ＤＶＤ再生器３００から転送される転送ストリーム（ＴＳ）を示したものである。マイクロコンピュータ３７は、ＨＤＶＤ３１で再生中、再生するデータが次の記録集合体（ＳＯＢ）に変化するかどうかをチェックする。Ｎ番目の記録集合体ＳＯＢ＃ＮからＮ＋１番目の記録集合体ＳＯＢ＃Ｎ＋１へ変化すると、マイクロコンピュータ３７は、領域２からＮ＋１番目のＳＯＢに対応したＰＳＩを読み出し、読み出されたＮ＋１番目の記録集合体ＳＯＢ＃Ｎ＋１に関するＰＳＩをＴＳマルチプレクサ３５に与える。ＴＳマルチプレクサ３５は必要があれば入力されたＰＳＩをＴＰ又は複数のＴＰ（ＴＰグループという）に変換する。ＴＳマルチプレクサ３５は、マイクロコンピュータ３７の制御のもとで、その変換されたＴＰまたはＴＰグループ又は変換されないＰＳＩをＮ＋１番目のＳＯＢに属する最初のＴＰの前に転送する。
【００２７】
その際、前記のように転送されるＰＳＩの転送パケット（ＰＳＩ＿Ｐａｃｋｅｔ）をＫ回繰り返して転送して、転送エラーや受信エラーなどを防止させることが望ましい。転送パケット（ＰＳＩ＿Ｐａｃｋｅｔ）のプログラム時刻基準情報（ＰＳＩ＿ＰＣＲ）は、その後に転送されるデータストリームの最初の転送パケット（ＴＰ１）のプログラム時刻基準情報（ＰＣＲ１）よりＰＣＲオフセット時間だけ前の時間が、図４を参照にして前述したように、ＰＳＩ一般管理情報（ＰＳＩ＿ＧＩ）に記録管理されているＰＣＲオフセット（ＰＣＲ＿ｏｆｆｓｅｔ）情報に基づいて生成付加される。前記のように反復転送されるＰＳＩの転送パケットの数が５回の場合、図７に示したように、Ｎ＋１番目の記録集合体（ＳＯＢ＃Ｎ＋１）の最初の転送パケットのプログラム時刻基準情報とＰＳＩ一般管理情報（ＰＳＩ＿ＧＩ）に記録管理されるＰＣＲオフセット値（ＰＣＲ＿ｏｆｆｓｅｔ）とに基づいて、反復転送される各ＰＳＩの最初の転送パケットのプログラム時刻基準情報を演算する。
【００２８】
これにより、Ｎ＋１番目の記録集合体（ＳＯＢ＃Ｎ＋１）のデータストリームの最初の転送パケットより先に転送される各ＰＳＩの最初の転送パケットのプログラム時刻基準情報は、Ｎ＋１番目の記録集合体（ＳＯＢ＃Ｎ＋１）の最初の転送パケットのプログラム時刻基準情報をＰＣＲ１とするとき、各々‘ＰＣＲ１−（ＰＣＲ＿ｏｆｆｓｅｔ×５）’、‘ＰＣＲ１−（ＰＣＲ＿ｏｆｆｓｅｔ×４）’、‘ＰＣＲ１−（ＰＣＲ＿ｏｆｆｓｅｔ×３）’、‘ＰＣＲ１−（ＰＣＲ＿ｏｆｆｓｅｔ×２）’、‘ＰＣＲ１−（ＰＣＲ＿ｏｆｆｓｅｔ×１）’に該当する時刻情報を有することになる。
【００２９】
このように繰り返し同じＰＳＩが提供されるので、デジタルテレビ２００では、最初と２番目のＰＳＩを逃がしても、３番目のＰＳＩの転送パケットの時刻情報に同期され、その後に受信されるＰＳＩの転送パケットを分離及び復号処理してデータストリームに対する情報を得て、その情報に基づいてデータストリームの転送パケットを選択して分離及び復号処理することができる。
【００３０】
参考として、マイクロコンピュータ３７では高密度ＤＶＤ３１に記録された信号を読み出して転送ストリーム（ＴＳ）として送るときに、新しいプログラム単位のデータストリームを読み出して送る場合以外にも、最初にデータストリームを送る場合、ユーザーのキー入力等によって高密度ＤＶＤ３１の読出し区間を大幅に変更させるロングトラックジャンプ（Ｌｏｎｇ Ｔｒａｃｋ Ｊｕｍｐ）を実施した場合、ＩＥＥＥ　１３９４のようなデジタルインタフェースを介して接続されたデジタルテレビ２００の電源がターンオンされたり、またはチャネルが切換えられて、これに該当するコマンドがマイクロコンピュータ３７に転送受信される場合、そしてＩＥＥＥ　１３９４のようなデジタルインタフェースバス上でリセットが発生する場合にも、前記のようにＰＳＩを提供して、ＩＥＥＥ　１３９４のようなデジタルインタフェースを介して接続されたデジタルテレビ２００から転送受信される転送ストリーム（ＴＳ）を選択してオーディオ／ビデオデータに分離及び復号処理することができるようにする。
【００３１】
いままでの実施形態は、情報記録媒体であって高密度ディスク媒体を前提としたものであるが、情報記録媒体が磁気記録媒体であってこれに画像に対する内容をデジタルストリームとして記録して再生する装置の場合にも前述した実施形態の作動を変形なしに同一に適用することができる。
【００３２】
そして、前述した高密度ＤＶＤディスクとは違って、ＰＳＩが記録されていないＤＶＤディスクの記録媒体の場合には、これを再生する装置でＰＳＩを生成して、前述したような方法と同一な方法でデータストリームの転送前にＰＳＩパケットでデジタルテレビに提供できる。
【００３３】
例えば、図６の記録／再生装置で、装着されたディスクが従来の一般ＤＶＤディスクであって、記録されたプログラムに対する仕様情報がない場合には、マイクロコンピュータ３７が、前述した条件、すなわちＩＥＥＥ　１３９４のようなデジタルインタフェースを介して接続されたデジタルテレビ２００の電源がターンオンされたり、またはチャネルが切換えられて、これに該当するコマンドがマイクロコンピュータ３７に転送受信される場合などが発生して最初にデータを送らなければならない場合、データの転送前に、Ａ／Ｖ構文解析の情報などのＰＳＩを生成することができるようにするために、メモリ３８に予め格納されている情報を利用してＰＳＩのパケットを生成して、前述した方法と同じくＰＣＲを記録した次に、データストリームの転送に先だってデジタルテレビ２００に送るようにすることができる。
【図面の簡単な説明】
【図１】一般的な高密度ＤＶＤ再生器とデジタルテレビ間の連結状態図を示したものであって、
【図２】一般的なＰＳＩの構成を図示したものであって、
【図３】従来の提案された高密度ＤＶＤの記録領域を概略的に図示したものであって、
【図４】本発明による高密度ＤＶＤの記録領域を概略的に図示したものであって、
【図５】本発明によるＰＳＩの一般管理情報ＰＳＩ＿ＧＩを図示したものであって、
【図６】本発明による高密度ＤＶＤ再生器に対する構成を図示したものであって、
【図７】本発明によるＰＳＩ提供過程を示したものである。
【図１】
2004515022.tif 000003
【図２】
2004515022.tif 000004
【図３】
2004515022.tif 000005
【図４】
2004515022.tif 000006
【図５】
2004515022.tif 000007
【図６】
2004515022.tif 000008
【図７】
2004515022.tif 000009
【国際公開パンフレット】
2004515022.tif 000010
2004515022.tif 000011
2004515022.tif 000012
2004515022.tif 000013
2004515022.tif 000014
2004515022.tif 000015
2004515022.tif 000016
2004515022.tif 000017
2004515022.tif 000018
2004515022.tif 000019
2004515022.tif 000020
2004515022.tif 000021
2004515022.tif 000022
2004515022.tif 000023
2004515022.tif 000024
2004515022.tif 000025
2004515022.tif 000026
2004515022.tif 000027
2004515022.tif 000028
2004515022.tif 000029
【国際調査報告】
2004515022.tif 000030